(57)【要約】  本開示は、内部空間（３１）を自らに画定するハウジング（３）と、ハウジング（３）に配置された転動軸（３２）と、電子ディスプレイと、電子ディスプレイの裏面に装着された支持構造（２１）と、を含む収納式表示装置（１）に関する。支持構造（２１）は、収納位置で、電子ディスプレイと共に軸のまわりに巻かれ得る、且つ視覚情報が表示され得る実質的に平面の前面を提供するために、ハウジング（３）から少なくとも部分的に上方に広げられ得る複数の並置された支持要素（２１０）を含む。
2021516772.tif 000002
【特許請求の範囲】
【請求項１】
内部空間（３１）を自らに画定するハウジング（３）と、前記ハウジング（３）に配置された転動軸（３２）と、電子ディスプレイ（２２１；２２２）と、前記電子ディスプレイの裏面に装着された、且つ前記電子ディスプレイ（２２１；２２２）を支持できる支持構造（２１）と、を含む収納式表示装置（１）であって、前記支持構造（２１）が、収納位置で、前記電子ディスプレイと共に前記転動軸（３２）のまわりに巻かれ得る、且つ視覚情報が表示され得るほぼ平面の表示面を提供するために、前記ハウジング（３）から少なくとも部分的に上方に広げられ得る複数の並置された支持要素（２１０）を含む収納式表示装置（１）。
【請求項２】
前記電子ディスプレイ（２２１）の前面が、前記表示面を画定する、請求項１に記載の収納式表示装置（１）。
【請求項３】
前記電子ディスプレイ（２２１）が広げられる場合に、前記支持構造（２１）が、前記電子ディスプレイ（２２１）の前記裏面上で垂直に延びる１つの支持バー又は複数の平行な支持バーを含み、前記支持バーのそれぞれが、複数の並置された支持要素（２１０）を含む、請求項１に記載の収納式表示装置（１）。
【請求項４】
前記電子ディスプレイ（２２１）が広げられる場合に、前記支持構造（２１）が、前記電子ディスプレイ（２２１）の前記裏面上で垂直に延びる支持ウェブを含み、前記支持ウェブが、複数の並置された直尺状の支持要素（２１０）を含む、請求項１に記載の収納式表示装置（１）。
【請求項５】
前記支持要素（２１０）のそれぞれが、少なくとも１つの光素子（２２２）を担持し、前記支持構造（２１）の光素子セットが、前記表示面を画定する、請求項１に記載の収納式表示装置（１）。
【請求項６】
前記支持要素（２１０）のそれぞれが、光素子（２２２）のマトリックスを担持する、請求項５に記載の収納式表示装置（１）。
【請求項７】
前記並置された支持要素（２１０）が、要素を連結することによって一緒に結合又は接続される、請求項５又は６に記載の収納式表示装置（１）。
【請求項８】
前記支持要素（２１０）が、前記支持構造（２１）が展開される場合に、磁力によって前記支持構造（２１）をまっすぐにするための磁石（２１０６）を対向する上縁及び下縁上に担持する、請求項１〜７のいずれか一項に記載の収納式表示装置（１）。
【請求項９】
前記支持構造（２１）が前記ハウジング（３）から展開される場合に、前記支持要素を一緒にくっつけるために、前記支持要素（２１０）のそれぞれにおける開口部を通り抜ける引っ張ることができる張力ケーブル（５）を更に含む、請求項１〜８のいずれか一項に記載の収納式表示装置（１）。
【請求項１０】
前記ハウジング（３）が、前記電子ディスプレイ及び支持構造（２１）が前記ハウジング（３）から広げられる場合に、前記電子ディスプレイ及び支持構造（２１）を傾斜させて上方へ案内することができる回転ガイド（３４）を含む、請求項１〜９のいずれか一項に記載の収納式表示装置（１）。
【請求項１１】
前記ハウジング（３）が、前記軸（３２）のまわりに位置する、且つ支持構造（２１）及び前記電子ディスプレイが前記ハウジング（３）の内部で巻かれる場合に、支持構造（２１）及び前記電子ディスプレイを引っ込めてコンパクトに収容するように構成された複数の可動ガイド（３３）を含む、請求項１〜１０のいずれか一項に記載の収納式表示装置（１）。
【請求項１２】
前記支持構造（２１）及び前記電子ディスプレイが前記ハウジング（３）から少なくとも部分的に展開される場合に、前記並置された支持要素（２１０）が互いに適合するように、前記支持要素（２１０）のそれぞれにおける上縁及び下縁の形状が構成される、請求項１〜１１のいずれか一項に記載の収納式表示装置（１）。
【請求項１３】
前記支持要素（２１０）のそれぞれにおける第１のエッジが、三角形断面を有する且つ縦に延びるグルーブ（２１０２）を含み、第２の対向するエッジが、三角形断面を有する且つ縦に延びる先端部（２１０４）を含み、支持要素（２１０）の前記先端部（２１０４）が、前記支持構造（２１）及び電子ディスプレイが前記ハウジング（３）から少なくとも部分的に展開される場合に、隣接する支持要素（２１０）の前記グルーブ（２１０２）に適合するように構成される、請求項１２に記載の収納式表示装置（１）。
【請求項１４】
前記グルーブ（２１０２）の傾斜面間の角度及び前記先端部（２１０４）の傾斜面間の角度が、それぞれ９０°とほぼ等しい、請求項１３に記載の収納式表示装置（１）。
【請求項１５】
前記支持要素（２１０）のそれぞれにおける前記第１のエッジがまた、半円形断面を有する且つ縦に延びるリップ（２１０１）を含み、前記第２の対向するエッジがまた、半円形断面を有する且つ縦に延びるノッチ（２１０３）を含み、支持要素（２１０）の前記リップ（２１０１）が、前記支持構造（２１）及び電子ディスプレイが前記ハウジング（３）から少なくとも部分的に展開される場合に、隣接する支持要素（２１０）の前記ノッチ（２１０３）に適合するように構成される、請求項１３又は１４に記載の収納式表示装置（１）。
【発明の詳細な説明】
【技術分野】
【０００１】
技術分野
本原理は、一般に表示装置に関し、より具体的には表示装置用の巻き取り可能な表示画面に関する。
【背景技術】
【０００２】
背景技術
電子技術の急速な発展の一部として、例えばテレビ（ＴＶ）などの様々な表示装置が使用されている。
【０００３】
最近、ＬＣＤ（液晶ディスプレイ）又はＬＥＤ（発光ダイオード）表示画面を有する大画面ＴＶを開発する努力がなされてきた。多くの大画面ＴＶは、居住又はプライベート環境において使用されるが、大画面ＴＶはまた、一連のビジネス関連の用途（オフィスロビー又は待合室、会議場、歓迎エリア、レストラン、バー、又は小売業者）を有する。ほとんどの現在の表示装置は、硬質の固定構造である。
【０００４】
従って、かかる表示装置用の表示画面のサイズは、調整可能ではなく、それらは、或る用途及びプログラム用には適し得ない。
【０００５】
同時に、フレキシブル表示画面（柔軟な画面）の技術に関して、ますます進歩する集中的な研究が存在する。かかるフレキシブル表示画面は、フレキシブルディスプレイを損傷せずに、曲げるか、折り畳むか、又は巻くことが可能である。
【発明の概要】
【０００６】
概要
本原理は、内部空間を自らに画定するハウジングと、ハウジングに配置された転動軸と、電子ディスプレイと、電子ディスプレイの裏面に装着された、且つ電子ディスプレイを支持できる支持構造と、を含む収納式表示装置であって、前記支持構造が、収納位置で前記電子ディスプレイと共に前記軸のまわりに巻かれ得る、且つ視覚情報が表示され得る実質的な平面を提供するために、ハウジングから少なくとも部分的に上方に展開され得るか又は広げられ得る複数の並置された支持要素を含む収納式表示装置を提供する。従って、本原理は、テレビなどの表示装置のサイズを低減するために巻くことができる大画面表示装置を提供する。ユーザは、広げられるフレキシブル表示画面の長さを調整することによって、視聴画面のサイズを調整することができる。
【０００７】
本原理の態様によれば、前記電子ディスプレイの前面は、表示パネルを画定する。
【０００８】
本原理の別の態様によれば、前記支持構造は、前記電子ディスプレイが広げられる場合に、前記電子ディスプレイの裏面上で垂直に延びる１つの支持バー又は複数の平行な支持バーを含み、前記支持バーのそれぞれは、複数の並置された支持要素を含む。
【０００９】
本原理の別の態様によれば、前記支持構造は、前記電子ディスプレイが広げられる場合に、前記電子ディスプレイの裏面上で垂直に延びる支持ウェブを含み、前記支持ウェブは、複数の並置された直尺状の支持要素を含む。
【００１０】
本原理の別の態様によれば、前記支持要素の前記それぞれは、少なくとも１つの光素子を担持し、支持構造の光素子セットは、前記表示面を画定する。
【００１１】
本原理の別の態様によれば、前記支持要素のそれぞれは、光素子のマトリックスを担持する。
【００１２】
本原理の別の態様によれば、前記並置された支持要素は、要素を連結することによって一緒に結合又は接続される。
【００１３】
本原理の別の態様によれば、前記支持要素は、支持構造が展開される場合に、磁力によって支持構造をまっすぐにするための磁石を対向する上縁及び下縁上に担持する。
【００１４】
本原理の別の態様によれば、収納式表示装置は、支持構造がハウジングから展開される場合に、支持構造を一緒にくっつけるための、支持要素を通り抜ける引っ張ることができる張力ケーブルを含む。
【００１５】
本原理の別の態様によれば、ハウジングは、支持構造及び表示面がハウジングから広げられる場合に、支持構造及び表示面を傾斜させて上方へ案内することができる、且つ支持構造及び表示面がひとたびハウジングから少なくとも部分的に展開されると、支持構造及び表示面を垂直位置においてまっすぐにすることができる回転ガイドを含む。
【００１６】
本原理の別の態様によれば、ハウジングは、前記軸のまわりに位置する、且つ支持構造及び表示面が前記ハウジング内に巻かれる場合に、支持構造及び表示面を引っ込めてコンパクトに収容するように構成された複数の可動ガイドを含む。
【００１７】
本原理の別の態様によれば、前記支持要素のそれぞれにおける上縁及び下縁の形状は、支持構造及び表示面が、ハウジングから少なくとも部分的に展開される場合に、並置された支持要素が互いに適合するように構成される。
【００１８】
本原理の別の態様によれば、前記支持要素のそれぞれにおける第１のエッジは、三角形断面を有する且つ縦に延びるグルーブを含み、第２の対向するエッジは、三角形断面を有する且つ縦に延びる先端部を含み、支持要素の先端部は、支持構造及び表示面がハウジングから少なくとも部分的に展開される場合に、隣接する支持要素のグルーブに適合するように構成される。
【００１９】
本原理の別の態様によれば、グルーブの傾斜面間の角度及び先端部の傾斜面間の角度は、それぞれ９０°とほぼ等しい。
【００２０】
本原理の別の態様によれば、前記支持要素のそれぞれにおける前記第１のエッジはまた、半円形断面を有する且つ縦に延びるリップを含み、前記第２の対向するエッジもまた、半円形断面を有する且つ縦に延びるノッチを含み、支持要素のリップは、支持構造及び表示面がハウジングから少なくとも部分的に展開される場合に、隣接する支持要素のノッチに適合するように構成される。
【００２１】
本原理の目的及び利点は、請求項において特に指摘される要素及び組み合わせによって実現され達成される。
【００２２】
前述の一般的な説明及び以下の詳細な説明の両方が、例示的で説明のためにあり、且つ請求されるときに原理を制限するものではないことを理解されたい。
【００２３】
明示的には説明しなかったが、本実施形態は、任意の組み合わせ又はサブ組み合わせで用いられてもよい。
【００２４】
図面の簡単な説明
本原理のこれら並びに他の態様、特徴、及び利点は、例として与えられる、且つ保護範囲を制限しない添付の図面に関連する以下の説明から明らかになろう。
【図面の簡単な説明】
【００２５】
【図１Ａ】表示画面が、ハウジング内に巻かれた場合の本原理による収納式表示装置を概略的に図示する図である。
【図１Ｂ】表示画面が、部分的に展開された場合の本原理による収納式表示装置を概略的に図示する図である。
【図１Ｃ】表示画面が、完全に展開された場合の本原理による収納式表示装置を概略的に図示する図である。
【図２Ａ】本原理による収納式表示装置の実施形態を図示する概略図である。
【図２Ｂ】本原理による収納式表示装置の実施形態を図示する概略図である。
【図２Ｃ】本原理による収納式表示装置の実施形態を図示する概略図である。
【図３Ａ】本原理による収納式表示装置の表示画面を広げることを示す概略断面図である。
【図３Ｂ】本原理による収納式表示装置の表示画面を広げることを示す概略断面図である。
【図４Ａ】本原理による収納式表示装置の表示画面を支持するように適合された支持要素の形状を示す概略図である。
【図４Ｂ】本原理による収納式表示装置の表示画面を支持するように適合された支持要素の形状を示す概略図である。
【図５】本原理の第１の実施形態による表示画面の一部を概略的に図示する側面図である。
【図６】本原理による収納式表示装置の表示画面において使用され得る張力ケーブルの構造を示す概略断面図である。
【図７Ａ】本原理の第２の実施形態による表示画面の一部を図示する側面図である。
【図７Ｂ】本原理の第２の実施形態による表示画面の一部を図示する側面図である。
【図８Ａ】本原理の第１の実施形態による表示画面において使用される張力ケーブルの動作を示す。
【図８Ｂ】本原理の第２の実施形態による表示画面において使用される張力ケーブルの動作を示す。
【発明を実施するための形態】
【００２６】
図におけるコンポーネントは、必ずしも一定の比率で縮小されているわけではなく、代わりに本原理を図示することに力点が置かれている。
【００２７】
実施形態の説明
本明細書において、「一実施形態」、「実施形態」、「例示的な実施形態」への言及は、説明される実施形態が、特定の特徴、構造、又は特性を含み得るが、しかし全ての実施形態が、特定の特徴、構造、又は特性を必ずしも含まなくてもよいことを示す。更に、かかる句は、必ずしも同じ実施形態を指すわけではない。更に、特定の特徴、構造、又は特性が、実施形態に関連して説明される場合に、明示的に説明されていてもいなくても、他の実施形態に関連するかかる特徴、構造、又は特性に影響を及ぼすことが、当業者の知識の範囲内であることが提起される。
【００２８】
図１Ａ〜１Ｃは、本原理による収納式表示装置１の概略図である。
【００２９】
収納式表示装置１は、１人又は複数人の視聴者用に、収納式表示画面２上に静止及びビデオ画像を表示するように構成されたコンパクトで軽量の電源内蔵機器であることが好ましい。
【００３０】
収納式表示装置１は、自立型電源（例えばバッテリ）及び画像の表示を制御するように構成されたコントローラ（図示せず）を含んでもよい。
【００３１】
収納式表示装置１は、外部電源なしに長期間にわたって動作できるのが好ましい。
【００３２】
幾つかの実施形態において、収納式表示装置１は、スピーカを含み、他の実施形態において、外部スピーカが、音声を提供するために使用される。
【００３３】
好ましくは持ち運び可能で軽量であり、且つ大きな表示領域を有する、収納式表示装置１。
【００３４】
収納式表示装置１（例えばＴＶシステム）は、巻かれた表示画面２を内部に収容するように配置される内部空間３１（例えば図３Ａ及び３Ｂに示される）を自らに画定するボックス又はハウジング３を含む。
【００３５】
転動部材又は軸３２は、ハウジング３の（図３Ａ及び３Ｂにおける）内部空間３１に配置され、且つ周囲に表示画面２を巻くように構成される。
【００３６】
ハウジング３は、内部に表示画面２が巻かれたサウンドバーであってもよい。
【００３７】
表示画面２は、画像を表示するように、且つ軸３２のまわりに直接巻かれて広げられるように構成される。
【００３８】
図１Ａは、表示画面２が、ハウジング３の内部で転動軸３２のまわりに巻かれている場合の収納式表示装置１を示す。
【００３９】
図１Ｂ及び１Ｃは、表示画面２が、それぞれ視聴構成において部分的に展開され、且つ完全に展開された場合の収納式表示装置１を示す。
【００４０】
軸３２を電気的に回転させるための、モータ、ギヤ、電源などの駆動装置は、ハウジング３の内部空間３１内に含まれてもよい。
【００４１】
表示画面２は、軸３２の回転方向に依存し、ハウジング３から上方へ出てハウジング３の中へ下方に戻る。
【００４２】
例えば、図３Ｂに示されるように、軸３２が、左回りの方向に回転する場合に、表示画面２は、広げられてハウジング３の内部空間３１から出て来る。対照的に、軸３２が右回りの方向に回転する場合に、表示画面２は、ハウジング３の中へ戻る。
【００４３】
巻き取り可能な表示画面２は、（図２Ａ〜２Ｃにおける）画像を表示する表示面及び支持構造２１を含む。以下で詳細に説明されるように、表示面は、フレキシブル表示パネル（第１の実施形態）によって、又は支持構造２１の複数の支持要素に支持された光モジュールセット（第２の実施形態）によって画定されてもよい。
【００４４】
背骨として働く支持構造２１は、底部から上端へ垂直に展開される場合に、巻き取り可能な表示画面２を堅く平坦にする。
【００４５】
換言すれば、支持構造２１は、強化装置として働き、表示画面２の垂直完全性を支持し、且つそれが、倒れる気配なしに、曲がらず直立したままであることを保証する。この支持構造２１はまた、表示画面２を上下に回すことを容易にする。
【００４６】
表示画面がまた、掛けられ、その場合に上端から底部に垂直に展開されてもよいことに留意されたい。
【００４７】
第１の実施形態（図５及び８Ｂ）において、表示画面２は、視覚情報を表示するための前部表示面を有するフレキシブル電子表示パネル２２１を含み、支持構造２１は、フレキシブルパネル２２１の前面の反対側の裏面に並置されている複数の支持又は背骨要素２１０を含むフレキシブル電子表示パネル２２１を支持することができる。
【００４８】
表示画面２を形成するフレキシブル電子表示パネル２２１及び支持要素２１０は、格納及び輸送用に軸３２のまわりに丸めるか又は巻き付けることができる。従って、支持構造２１は、表示パネル２２１の裏面に位置し、且つ折り曲げ可能なフレキシブル表示パネル２２１が展開又は部分的に展開される場合に、折り曲げ可能なフレキシブル表示パネル２２１に剛性を与えるために、表示パネル２２１の上縁及び下縁間に延びる。支持構造２１は、表示画面２が展開される場合に、視界から隠すことができる。
【００４９】
その場合に、支持構造２１は、表示画面２が完全に展開される場合に、表示画面２の背面を示す図２Ａに図示されているように、表示パネル２２１の後側に位置する２つ以上の平行な離間されたバーを含んでもよい。各垂直バーは、複数の並置された支持要素２１０を含む。
【００５０】
かかる支持要素２１０の形状が、図４Ａに示される。
【００５１】
代替として、支持構造２１は、完全に展開された場合の表示画面２の背面を示す図２Ｂに示されるように、表示パネル２２１の幅より狭い幅を有する、且つ複数の長尺状の並置された支持要素２１０を含むウェブを含んでもよい。
【００５２】
かかる支持要素２１０の形状の例が、図４Ｂに示される。
【００５３】
支持構造２１は、表示パネル２２１を過度に圧迫することも、疲労させることも、折り目を付けることもない方法で、フレキシブル表示パネル２２１を支持することができ、且つ実質的に平面の視聴面として底部から上端に表示パネル２２１を垂直に展開させるように構成される。
【００５４】
完全に展開された場合の表示画面２の背面を示す図２Ｃに表示された代替実施形態において、支持構造２１は、ＬＥＤなどの内蔵光素子を備えた複数の長尺状の支持要素２１０を含み、かかる支持要素２１０の形状は、図４Ｂに示される。
【００５５】
各支持要素２１０の前面上に１つ又は複数の光素子、例えばＬＥＤモジュール２２２の行又はグリッド（例えば４×４マトリックス）が存在してもよい。これは、図７Ａ、７Ｂ及び８Ａに示される。従って、表示画面２は、画素素子を形成する１つ又は複数のＬＥＤモジュール２２２が実装される支持要素２１０のセットを含み、支持要素２１０のＬＥＤモジュール２２２の全てが、表示面を画定する。
【００５６】
上記で説明された実施形態において、ＬＥＤは、表示画面装置として使用される。しかしながら、ＬＣＤ又はＯＬＥＤなど、ＬＥＤ以外の光素子が、画像ソースとして使用されてもよい。
【００５７】
ＬＥＤモジュールは、３色ＲＧＢモジュール又は単色モジュールとすることができる。
【００５８】
このアプローチは、支持構造２１の光素子のそれぞれに電流を供給できるＬＥＤ制御電気ケーブル２１０８の実装形態を必要とする。
【００５９】
図３Ａ及び３Ｂは、支持構造及び表示パネル（第１の実施形態）又は光素子（第２の実施形態）を含む表示画面２を巻き且つ広げるための手段を図示する画面ハウジング３の概略断面図である。
【００６０】
巻き取り可能な表示画面２は、ハウジング３の内部空間３１内に位置するローラ機構に機械的に結合される。ローラ機構は、巻き取り可能な表示画面２用の収容機構として、且つほぼ平面の画面として要求される場合はいつでもハウジング３本体の外側に巻き取り可能な表示画面２を展開させるように構成される。従って、作業中に、表示画面２は、（図１Ｃの展開された使用状態において）広げられ、表示面は、外側に延びる。
【００６１】
表示画面２が、部分的に広げられ展開されてもよいことに留意されたい。従って、表示画面２のサイズは、意図した用途及びプログラムに従って調整可能である。その部分的に広げられた状態で、ハウジング３の外側に位置する光素子だけが、選択され活性化されてもよい。
【００６２】
表示画面２は、要求される場合はいつでも、軸３２のまわりに巻くことによって、ハウジング３本体に縮めて格納することができる。その位置において、表示装置１は、音楽を流すために使用されてもよい。
【００６３】
ローラ３３などの複数の可動ガイドが、ハウジング３の内部空間３１内に位置する。これらのローラ３３は、使用されていない場合に表示画面２を引っ込めてコンパクトに収容するように構成される。ローラ３３は、表示画面２のいかなる折り畳み又は折り目も防ぎ、且つ表示画面２が、ハウジング３内に正確に巻かれることを保証する。
【００６４】
表示画面２が、ハウジング３の外側に展開される場合に、ローラ３３は、表示画面２をハウジング３から滑らかに案内するように構成される。
【００６５】
電動回転画面ガイド３４もまた、表示画面２が出て来るときに通るハウジング３の開口部（図示せず）の近くでハウジング３１内に位置する。
【００６６】
表示画面２が、ハウジング３から広げられる場合に、このガイド３４は、重力に表示画面２構造を堅くさせるために、表示画面が、α°（図３Ｂ）の角度だけ傾斜されて出て来るように傾斜される。表示画面２及びその支持構造２１は、一方向のみにおいてフレキシブルである。
【００６７】
表示画面２が、完全に外に出ると、回転画面ガイド３４は、垂直に配置され、その結果、支持構造２は、垂直に戻る。このステップの前又は後で、別の機構（即ち張力ケーブル５）が、以下で説明されるように、表示画面２を一直線にロックしてもよい。
【００６８】
実施形態による支持要素２１０の断面図は、図５、７Ａ〜８Ｂに図示される。
【００６９】
各支持要素２１０は、その上縁に、半円形リップ２１０１と、縦に延びる三角形断面のグルーブ２１０２と、を含む。グルーブ２１０２の傾斜面間の角度は、例えば９０°と等しい。リップ２１０１は、表示パネル２２１又は光モジュール２２２の側にある。
【００７０】
各支持要素２１０は、その下縁に、半円形ノッチ２１０３と、縦に延びる三角形断面の先端部２１０４と、を含む。先端部２１０４の傾斜面間の角度は、例えば９０°と等しい。ノッチ２１０３は、表示パネル２２１又は光モジュール２２２の側にある。
【００７１】
支持要素２１０の構成は、複雑ではない（これは、表示装置に関連するコストを低減する）。
【００７２】
支持要素２１０は、例えば硬質プラスチックから構成される。
【００７３】
各支持要素２１０の上縁は、表示画面が直立される場合に、上方に位置する支持要素２１０の下部面に適合するように構成される。各支持要素２１０の下縁もまた、表示画面２が完全に又は部分的に直立される場合に、下方に位置する支持要素２１０の上部面に適合するように構成される。
【００７４】
より正確には、支持要素２１０の先端部２１０４は、表示画面２が完全に又は部分的に直立される場合に、隣接する支持要素２１０のグルーブ２１０２に適合するように構成される。支持要素２１０のリップ２１０１もまた、表示画面２が完全に又は部分的に直立される場合に、隣接する支持要素２１０のノッチ２１０３に適合するように構成される。
【００７５】
表示画面２が、ハウジング３内で巻かれる場合に、隣接する支持要素２１０の先端部２１０４とグルーブ２１０２との間にも、リップ２１０１とノッチ２１０３との間にも接触はない。
【００７６】
図８Ｂに示される第１の実施形態において、表示パネル２２１は、可撓性で巻き取り可能な材料から構成される。支持要素２１０は、例えば糊付け、接着テープ、又はクリップによって表示パネル２２１の裏面に装着される。支持要素２１０の形状は、表示画面２が直立される場合に、支持要素２１０が互いに適合することを保証する。表示パネル２２１は、支持要素２１０の間の連結を単独で保証してもよい。加えて、追加の連結が、支持要素２１０間に提供されてもよい。
【００７７】
図８Ａに示される第２の実施形態において、支持要素２１０は、側鎖又は側部クリップ（図示せず）によって連結され統合される。
【００７８】
表示画面２の展開されロックされた位置において、支持要素２１０は、垂直軸に沿って整列される。
【００７９】
表示画面２の格納位置において、支持要素２１０は、軸３２のまわりに巻かれる。
【００８０】
先端部２１０４の傾斜面間及びグルーブ２１０２の傾斜面間の直角は、構造が、収容部３内に収容されている間に曲げられた場合に、隣接する支持要素２１０間の接触の阻止を最大限にし、且つ支持要素２１０を解放できるようにする。
【００８１】
両方の実施形態において、２つの吸引磁石２１０６が、支持構造２１の各支持要素２１０の対向する上縁及び下縁に位置する。
【００８２】
これらの磁石２１０６は、表示画面２の展開の安定性を改善するように設計される。２つの隣接する支持要素２１０が、垂直に整列される場合に、それらは、対面する磁石２１０６の協働によって互いにくっつけられる。
【００８３】
表示画面２が、ハウジング３内に巻かれる場合に、支持要素２１０上に印加された曲げ力は、磁石の協働を解除する。
【００８４】
磁石２１０６は、任意選択であり、且つ周囲の電気コンポーネントを汚染しないために、磁気的に分離されるべきである。磁石２１０６は、表示画面２が完全に展開される場合にイネーブルにされる電磁石であってもよい。
【００８５】
１つ又は複数の張力ケーブルトンネル２１０５が、支持構造２１の支持要素２１０のそれぞれにおいて画定されてもよい。トンネル２１０５は、各支持要素２１０において、グルーブ２１０２の底部と先端部２１０４の上端との間に延びる。このトンネル２１０５は、展開された表示画面２を垂直又は完全に展開された位置において一直線にロックする張力ケーブル５用に作られる。支持構造の寸法に依存して、複数のケーブル（及びトンネル）が存在し得る。
【００８６】
張力ケーブル５の（及び従ってトンネル２１０５の）数は、表示画面２の幅に依存する。
【００８７】
磁石２１０６は、表示画面２が完全に展開され、且つ張力ケーブルがロックされた場合に、ディスエーブルにされてもよい。
【００８８】
図８Ａ及び８Ｂは、張力ケーブル５及び磁石がどのように働くかを示す２１０６。張力ケーブル５がぴんと張った場合に、支持要素２１０は、互いに対して押し込まれ、従って支持構造２１は、一直線の垂直位置でロックされる。表示画面２をハウジング３の中に戻すために、支持構造２１は、ロック解除されなければならない。張力ケーブル５の引っ張り及び解放は、表示画面２のエッジ及び軸３２に機械的に結合されるケーブル牽引解放装置３５（図６）によって実行される。張力ケーブルストップ５１は、ケーブル５の一端に設けられ、且つ表示画面２が直立される場合に、上部支持要素２１０の上縁と当接する。
【００８９】
ローラガイド３３、磁石２１０６、及び張力ケーブル５は、支持構造２１において所望の張力を維持するように構成され、その結果、表示画面２は、ほぼ平面の視聴面及び従って視聴者用のより高い品質の画像を提供する。
【００９０】
ケーブル５の張力は、表示画面２がハウジング３から広げられる場合に、表示画面２の剛性が調整されるように調整可能であってもよい。
【００９１】
表示画面２を展開するための主なステップは、以下のとおりである。
ステップ１−ハウジング３の跳ね上げ扉（もしあれば）を開く。
ステップ２−表示画面２をオンにし、ビデオストリームを表示する。
ステップ３−画面ガイド３４を傾斜させる。
ステップ４−張力ケーブル５を解放する。
ステップ５−電磁石２１０６が実装されている場合に、それらをオンにする。
ステップ６−表示画面２をボックス３から広げる。
ステップ７−表示画面２が完全に外に出た場合に、張力ケーブル５を引っ張る。
ステップ８−画面ガイド３４を垂直に配置する。
ステップ９−電磁石２１０６が実装されている場合に、それらをオフにする。
ステップ１０−まだ行われていなかった場合に、表示画面２をオンにする。
【００９２】
表示画面２をハウジング３に戻すために、上記のステップは、逆順で実行される。
【００９３】
従って、本原理は、テレビなどの画面が展開されていない場合に、表示装置のサイズを低減するために、巻くことができる大画面表示装置を提供することができる。
【００９４】
表示画面は、表示装置の出荷及び輸送を容易にするコンパクトな形状で格納することができ、且つ所望の表示機能を達成するために、或る場所（例えばオフィスロビー又は待合室、会議場、歓迎エリア、レストラン、バー、店舗等）で容易に直立され得る。
【００９５】
自立表示装置は、例えば多数の聴衆にテキスト及び／又は静止若しくは動画像を通信するために使用されてもよい（それは、例えばプロジェクタとして使用されてもよい）。
【００９６】
他の多くの変形及び修正が、当業者には明らかになろう。
【００９７】
図示された実施形態において、支持要素は、半円形リップ及び三角形グルーブを含む上縁、並びに半円形ノッチ及び三角形先端部を含む下縁を有する。
【００９８】
別の実施形態において、支持要素は、半円形ノッチ及び三角形先端部を含む上縁、並びに半円形リップ及び三角形グルーブを含む下縁を有してもよい。
【００９９】
各支持要素のリップ、グルーブ、ノッチ及び先端部の形状は、図示された形状に制限されない。
【０１００】
支持要素の形状は、隣接する支持要素間の摩擦を低減し、且つ互いに支持要素のブロッキングを最適化するように選択される。
【０１０１】
本明細書で挙げられた全ての例及び条件付き言語は、発明者によって当該技術分野の促進に寄与された本原理及び概念を理解する際に読者を支援する教育的目的用に意図され、且つかかる特に挙げられた例及び条件に制限されないように解釈されるべきであり、本明細書におけるかかる例の構成は、本原理の優位性及び劣等性の表示に関係しない。本原理の実施形態が、詳細に説明されたが、様々な修正、代用及び変更が、本原理の趣旨及び範囲から逸脱せずに、本原理に対して行われ得ることを理解されたい。
【図１Ａ】
2021516772.tif 000003
【図１Ｂ】
2021516772.tif 000004
【図１Ｃ】
2021516772.tif 000005
【図２Ａ】
2021516772.tif 000006
【図２Ｂ】
2021516772.tif 000007
【図２Ｃ】
2021516772.tif 000008
【図３Ａ】
2021516772.tif 000009
【図３Ｂ】
2021516772.tif 000010
【図４Ａ】
2021516772.tif 000011
【図４Ｂ】
2021516772.tif 000012
【図５】
2021516772.tif 000013
【図６】
2021516772.tif 000014
【図７Ａ】
2021516772.tif 000015
【図７Ｂ】
2021516772.tif 000016
【図８Ａ】
2021516772.tif 000017
【図８Ｂ】
2021516772.tif 000018
【国際調査報告】
2021516772.tif 000019
2021516772.tif 000020
2021516772.tif 000021